(57)【特許請求の範囲】
【請求項１】
ハンディ型ビデオカメラが載置される載置部と該載置部のカメラ操作者側にて上方に向かって突設される本体とを有すると共に、前記ハンディ型ビデオカメラの機能を拡張して大型スタジオカメラとして使用可能にするカメラ拡張装置の前記本体に取付けられ、前記ハンディ型ビデオカメラ用のビューファインダを支持するビューファインダ支持機構であって、
前記ビューファインダは、表示部を含み、
前記本体に取付けられ、該本体の側面に沿って上下方向に延びる本体アームと、
前記本体アームに取付けられると共に、前記ビューファインダを支持する支持アームと、
を備え、
前記本体アームに対する前記支持アームの取付け高さ位置を変えることによって、前記本体の後方において、前記本体に対する前記ビューファインダの高さ位置を変更可能に構成される、ビューファインダ支持機構。
【請求項２】
ハンディ型ビデオカメラが載置される載置部と該載置部のカメラ操作者側にて上方に向かって突設される本体とを有すると共に、前記ハンディ型ビデオカメラの機能を拡張して大型スタジオカメラとして使用可能にするカメラ拡張装置の前記本体に取付けられ、前記ハンディ型ビデオカメラ用のビューファインダを支持するビューファインダ支持機構であって、
前記本体に取付けられ、該本体の側面に沿って上下方向に延びる本体アームと、
前記本体アームに取付けられると共に、前記ビューファインダを支持する支持アームと、
を備え、
前記本体アームに対する前記支持アームの取付け高さ位置を変えることによって、前記本体に対する前記ビューファインダの高さ位置を変更可能に構成され、
前記本体アームは、前記上下方向に離間した複数の箇所に、前記支持アームとの接続用の第１接続部を含み、
前記支持アームは、前記第１接続部と接続する第２接続部を含む、ビューファインダ支持機構。
【請求項３】
前記第１接続部は、菊座状の凹凸を有する第１端面を含んで形成され、
前記第２接続部は、前記第１端面と噛合する第２端面を含んで形成され、
前記支持アームは、支持する前記ビューファインダをチルト方向に段階的に回動可能に、前記第２接続部を介して前記本体アームに接続されている、請求項２に記載のビューファインダ支持機構。
【請求項４】
ハンディ型ビデオカメラが載置される載置部と該載置部のカメラ操作者側にて上方に向かって突設される本体とを有すると共に、前記ハンディ型ビデオカメラの機能を拡張して大型スタジオカメラとして使用可能にするカメラ拡張装置の前記本体に取付けられ、前記ハンディ型ビデオカメラ用のビューファインダを支持するビューファインダ支持機構であって、
前記本体に取付けられ、該本体の側面に沿って上下方向に延びる本体アームと、
前記本体アームに取付けられると共に、前記ビューファインダを支持する支持アームと、
を備え、
前記本体アームに対する前記支持アームの取付け高さ位置を変えることによって、前記本体に対する前記ビューファインダの高さ位置を変更可能に構成され、
前記ハンディ型ビデオカメラが前記載置部上に載置された状態で、
前記支持アームは、前記取付け高さ位置を、少なくとも、支持した前記ビューファインダの表示部の中心と前記ハンディ型ビデオカメラのレンズの光軸とが略一致する下位置と、該下位置より上方の上位置とに、選択的に変更可能に前記本体アームに取付けられる、ビューファインダ支持機構。
【請求項５】
ハンディ型ビデオカメラが載置される載置部と該載置部のカメラ操作者側にて上方に向かって突設される本体とを有すると共に、前記ハンディ型ビデオカメラの機能を拡張して大型スタジオカメラとして使用可能にするカメラ拡張装置の前記本体に取付けられ、前記ハンディ型ビデオカメラ用のビューファインダを支持するビューファインダ支持機構であって、
前記本体に取付けられ、該本体の側面に沿って上下方向に延びる本体アームと、
前記本体アームに取付けられると共に、前記ビューファインダを支持する支持アームと、
を備え、
前記本体アームに対する前記支持アームの取付け高さ位置を変えることによって、前記本体に対する前記ビューファインダの高さ位置を変更可能に構成され、
前記支持アームは、前記本体アームを介して前記本体に取付けられた状態で、該本体の上面より下方に配置されている、ビューファインダ支持機構。
【請求項６】
ハンディ型ビデオカメラが載置される載置部と該載置部のカメラ操作者側にて上方に向かって突設される本体とを有すると共に、前記ハンディ型ビデオカメラの機能を拡張して大型スタジオカメラとして使用可能にするカメラ拡張装置の前記本体に取付けられ、前記ハンディ型ビデオカメラ用のビューファインダを支持するビューファインダ支持機構であって、
前記本体に取付けられ、該本体の側面に沿って上下方向に延びる本体アームと、
前記本体アームに取付けられると共に、前記ビューファインダを支持する支持アームと、
を備え、
前記本体アームに対する前記支持アームの取付け高さ位置を変えることによって、前記本体に対する前記ビューファインダの高さ位置を変更可能に構成され、
前記本体は、前記載置部のカメラ操作者側にて該載置部の幅方向に互いに間隔をあけて上方に向かってそれぞれ突設される一対の操作部からなり、
前記本体アームは、前記一対の操作部の幅方向の外側面に延設される一対のサイドアームを有してなり、
前記支持アームは、前記一対のサイドアームの間を連結するように取付けられる、ビューファインダ支持機構。
【請求項７】
ハンディ型ビデオカメラの機能を拡張して大型スタジオカメラとして使用可能にするカメラ拡張装置であって、
前記ハンディ型ビデオカメラが載置される載置部と、
前記載置部のカメラ操作者側にて上方に向かって突設される本体と、
前記請求項１〜６のいずれか一つに記載のビューファインダ支持機構と、
を含んで構成される、カメラ拡張装置。
【発明の詳細な説明】
【技術分野】
【０００１】
本発明は、カメラ拡張装置に搭載されるハンディ型ビデオカメラ用のビューファインダを支持するビューファインダ支持機構及びこれを備えたカメラ拡張装置に関する。
【背景技術】
【０００２】
テレビ局のスタジオ等において、ハンディ型ビデオカメラに大型のレンズを接続しこのハンディ型ビデオカメラの機能を拡張して大型スタジオカメラとして使用可能にするカメラ拡張装置が用いられている。従来のカメラ拡張装置としては、例えば、特許文献１に記載されたカメラ拡張装置が知られている。特許文献１に記載されたカメラ拡張装置は、ハンディ型ビデオカメラが載置される載置部と、この載置部のカメラ操作者側にて立設される一対のボディーと、この一対のボディーの上部に設けられ、撮影する映像をカメラ操作者が視認するためのビューファインダを支持するマウント部と、を備えて構成されている。つまり、ビューファインダは、カメラ拡張装置の一対のボディーの上にマウント部を介して固定されている。
【先行技術文献】
【特許文献】
【０００３】
【特許文献１】特開２０１４−９６６７８号公報
【発明の概要】
【発明が解決しようとする課題】
【０００４】
しかしながら、特許文献１に記載された従来のカメラ拡張装置では、カメラ拡張装置に対するビューファインダの取付け位置が固定されているため、例えば、カメラ操作者の要望やホール等におけるカメラ操作者の後方の観客からの視認性の確保等を考慮して、ビューファインダの高さ位置を適宜変更することができなかった。
【０００５】
本発明は上記問題点に着目してなされたもので、ビューファインダの高さ位置を容易に変更可能なビューファインダ支持機構及びこれを備えたカメラ拡張装置を提供することを目的とする。
【課題を解決するための手段】
【０００６】
本発明の一側面によると、ビューファインダ支持機構は、ハンディ型ビデオカメラが載置される載置部と該載置部のカメラ操作者側にて上方に向かって突設される本体とを有すると共に、前記ハンディ型ビデオカメラの機能を拡張して大型スタジオカメラとして使用可能にするカメラ拡張装置の前記本体に取付けられ、前記ハンディ型ビデオカメラ用のビューファインダを支持するビューファインダ支持機構であって、前記本体に取付けられ、該本体の側面に沿って上下方向に延びる本体アームと、前記本体アームに取付けられると共に、前記ビューファインダを支持する支持アームと、を備え、前記本体アームに対する前記支持アームの取付け高さ位置を変えることによって、前記本体に対する前記ビューファインダの高さ位置を変更可能に構成されている。
【０００７】
本発明の別の側面によると、カメラ拡張装置は、ハンディ型ビデオカメラの機能を拡張して大型スタジオカメラとして使用可能にするカメラ拡張装置であって、前記ハンディ型ビデオカメラが載置される載置部と、前記載置部のカメラ操作者側にて上方に向かって突設される本体と、前記一側面によるビューファインダ支持機構と、を含んで構成されている。
【発明の効果】
【０００８】
前記一側面によるビューファインダ支持機構及びこれを備えた前記カメラ拡張装置によれば、ビューファインダを支持する支持アームを、カメラ拡張装置の本体の側面に沿って上下方向に延びる本体アームに取付けた後、この上下方向に延びる本体アームに対する支持アームの取付け高さ位置を変えるだけで、カメラ拡張装置の本体に対するビューファインダの高さ位置を変更することができる。
これにより、ビューファインダの高さ位置を容易に変更可能なビューファインダ支持機構及びこれを備えたカメラ拡張装置を提供することができる。
【図面の簡単な説明】
【０００９】
【図１】本発明の一実施形態によるカメラ拡張装置の側面図である。
【図２】図１に示すカメラ拡張装置において、ハンディ型ビデオカメラとビューファインダを取付けた使用状態を示した外観図である。
【図３】図１のカメラ拡張装置からビューファインダ支持機構を取り外した状態を示した図である。
【図４】図３に示すカメラ拡張装置の斜視図である。
【図５】図１に示すビューファインダ支持機構の斜視図である。
【図６】図５に示すビューファインダ支持機構の分解斜視図である。
【図７】図１に示すカメラ拡張装置において、ビューファインダ支持機構の支持アームの取付け位置を変更した状態を示した図である。
【図８】図７に示すビューファインダ支持機構の斜視図である。
【図９】図７に示すカメラ拡張装置において、ハンディ型ビデオカメラとビューファインダを取付けた使用状態を示した外観図である。
【図１０】上記実施形態のカメラ拡張装置において、ビューファインダをハンディ型ビデオカメラに直接取付けた場合の使用状態を示した外観図である。
【発明を実施するための形態】
【００１０】
以下、本発明の実施形態を図面に基づいて説明する。
図１は、本発明の一実施形態によるカメラ拡張装置としてのシステムエクスパンダー装置の側面図である。図２は図１のシステムエクスパンダー装置の使用状態を示した外観図であり、図３は図１のシステムエクスパンダー装置からビューファインダ支持機構を取り外した状態を示した図であり、図４は図３に示す状態のシステムエクスパンダー装置の斜視図であり、図５は図１に示すビューファインダ支持機構の斜視図である。
なお、以下では、システムエクスパンダー装置１００について、前後・左右・上下を、各図に示すように便宜上規定して、説明する。
【００１１】
本実施形態のシステムエクスパンダー装置１００は、ハンディ型ビデオカメラＣ（図２参照）の機能を拡張してハンディ型ビデオカメラＣを放送局で使用する大型スタジオカメラとして使用可能にするものであり、使用時においては、図２に示すように、ハンディ型ビデオカメラＣが載置され、カメラ操作者側にはハンディ型ビデオカメラＣ用のビューファインダＦが取り付けられている。
本実施形態において、システムエクスパンダー装置１００は、図１に示すように、ハンディ型ビデオカメラＣが載置される載置部１０と、この載置部１０上に設けられる本体２０と、保護バー３０と、ビューファインダＦを支持するビューファインダ支持機構４０とを含んで構成されている。
【００１２】
前記載置部１０は、例えば、ハンディ型ビデオカメラＣのレンズを取外した状態のカメラ本体が載置され、このカメラ本体を固定するものであり、図３及び図４に示すように、ベース部１１と、ベース部１１の上面に設けられるカメラ固定部１２とを有して構成されている。ベース部１１は、概略板状に形成されている。カメラ固定部１２は、ベース部１１の幅方向（左右方向）の中央部にて前後方向に延びるようにして設けられ、カメラ本体の底部と接続可能に形成されている。ハンディ型ビデオカメラＣは、その光軸Ｘがシステムエクスパンダー装置１００の前後方向に延びるように、カメラ固定部１２を介して載置部１０上に固定される。
【００１３】
前記本体２０は、載置部１０のカメラ操作者側（後部）にて上方に向かって突設されるものである。
本実施形態において、本体２０は、載置部１０のカメラ操作者側にて載置部１０の幅方向（左右方向）に互いに間隔をあけて上方に向かってそれぞれ突設される一対の操作部２０Ｌ，２０Ｒからなる。操作部２０Ｌは、カメラ操作者側から視て載置部１０の左側の角部に配置され、操作部２０Ｒは、カメラ操作者側から視て載置部１０の右側の角部に配置されている。
【００１４】
本体２０としての一対の操作部２０Ｌ，２０Ｒは、詳しくは、載置部１０のカメラ操作者側にて上下方向に延びて立設されると共に、図示を省略したコネクタ部等を介してハンディ型ビデオカメラＣと電気的にも接続可能に構成されている。この一対の操作部２０Ｌ，２０Ｒの互いに対向する側面間の間隔は、ハンディ型ビデオカメラＣを挿入可能に設定されている。各操作部２０Ｌ，２０Ｒのカメラ操作者側の端面には、それぞれカメラ操作パネルが設けられている。カメラ本体を装着後、カメラ操作者等が、このカメラ操作パネルを操作することにより、ハンディ型ビデオカメラＣをスタジオカメラとして使用（操作）できるように構成されている。
【００１５】
また、図３及び図４に示すように、一対の操作部２０Ｌ，２０Ｒの幅方向の側面（言い換えると、各操作部２０Ｌ，２０Ｒの非対向側の側面）には、それぞれ、ビューファインダ支持機構４０を取付けるための第１取付け部２１が設けられている。
詳しくは、前記第１取付け部２１は、カメラ操作者側から視て、操作部２０Ｌについてはその左側面のうちのカメラ操作者寄りの下部に設けられ、操作部２０Ｒについてはその右側面のうちのカメラ操作者寄りの下部に設けられている。より具体的には、第１取付け部２１は、円板状の外観を有して突設されており、菊座状の凹凸を有する取付け端面２１ａを含んで形成されており、この取付け端面２１ａの径方向中央部にはネジ穴２１ｂ（図３参照）が形成されている。取付け端面２１ａには、言い換えると、そのリング状の周縁部に径方向中央部から外方に向かって放射状に延びる断面山型の凸部を有して形成されることにより、上記菊座状の凹凸を有している。第１取付け部２１は、後述する第１接続部３（図５及び図６参照）と同一形状を有している。
また、図４に示すように、各操作部２０Ｌ，２０Ｒの上面には、適宜個数のネジ穴２１ｃが形成されている。
【００１６】
前記保護バー３０は、ハンディ型ビデオカメラＣのカメラ本体の側面を保護するものであり、載置部（ベース部１１）１０の幅方向の両縁部に沿って、操作部２０Ｌ，２０Ｒの背面（カメラ操作者側の端面とは反対側の端面）から載置部１０の前端側に向って延設されている。この保護バー３０は、その中央部が開口され、操作時や搬送時等にカメラ操作者の把持部にもなるように形成されている。
【００１７】
前記ビューファインダ支持機構４０は、本体２０に取付けられ、ビューファインダＦを支持するものであり、図５及びビューファインダ支持機構４０の分解斜視図である図６に示すように、本体アーム１と、支持アーム２とを備え、本体アーム１に対する支持アーム２の取付け高さ位置を変えることによって、本体２０に対するビューファインダＦの高さ位置を変更可能に構成されている。
図２に戻って、ビューファインダＦは、図に示すように、撮影する映像をカメラ操作者が視認するためのものであり、表示部Ｆａと、フレーム部Ｆｂと、スライド機構Ｆｃとを備えて構成されている。表示部Ｆａは、例えば液晶ディスプレイからなる。フレーム部Ｆｂは、表示部Ｆａをチルト方向に回動可能に軸支するものであり、金属製の平板材を折曲形成してなる。フレーム部Ｆｂは、表示部Ｆａの下方に配置される下部フレームＦｂ１と、下部フレームＦｂ１の両端から上方に向かって延びて表示部Ｆａの側部と対向する側部フレームＦｂ２と、各側部フレームＦｂ２に設けられ、表示部Ｆａをチルト方向（つまり、システムエクスパンダー装置１００の左右方向（幅方向）と平行な軸回りの方向）に回動可能に軸支するチルト回動軸Ｆｂ３とを含んで構成されている。スライド機構Ｆｃは、下部フレームＦｂ１とビューファインダ支持機構４０との間に取付けられるものである。フレーム部Ｆｂは、このスライド機構Ｆｃを介して、ビューファインダ支持機構（支持アーム２）４０上に支持されると共に、前後方向にスライド移動可能に配置されている。
【００１８】
前記本体アーム１は、本体２０に取付けられ、この本体２０の側面に沿って上下方向に延びるように設けられている。
本実施形態において、本体アーム１は、図５及び図６に示すように、一対の操作部２０Ｌ，２０Ｒの幅方向の外側面（各操作部２０Ｌ，２０Ｒの非対向側の側面）に延設される一対のサイドアーム１Ｌ，１Ｒを有してなる。各サイドアーム１Ｌ，１Ｒは、例えば、金属製の平板材からなり、その下端部を前方側に膨出させてなる膨出部１ａを有すると共に、軽量化のため適宜箇所が開口形成されている。一対のサイドアーム１Ｌ，１Ｒは、言い換えると、本体２０に取付けられる使用状態において、その平板面を互いに対向させると共に、それら平板面の間に本体２０を挟むようにして配置されている。
【００１９】
また、本実施形態において、各サイドアーム１Ｌ，１Ｒは、その延設方向である上下方向に離間した２箇所に、支持アーム２との接続用の第１接続部３をそれぞれ含んで構成されている。つまり、本実施形態において、第１接続部３は、サイドアーム１Ｌの両端部と、サイドアーム１Ｒの両端部に設けられ、全体で４箇所に設けられている。なお、各サイドアーム１Ｌ，１Ｒは互いに同一形状を有して形成されている。
第１接続部３は、具体的には、一対のサイドアーム１Ｌ，１Ｒの非対向側の側面にそれぞれ突設されている。
【００２０】
また、本実施形態において、各サイドアーム１Ｌ，１Ｒは、その下端部に、本体（一対の操作部２０Ｌ，２０Ｒ）２０への取付け用の第２取付け部４をそれぞれ含んで構成されている。サイドアーム１Ｌ側の第２取付け部４は、図５及び図６では、サイドアーム１Ｌの裏面に隠れてほぼ視えないが、サイドアーム１Ｒと同様に取付けられている。
なお、第１取付け部２１及び第２取付け部４を介した各サイドアーム１Ｌ，１Ｒの本体２０への取付け構造については、後に詳述する。
【００２１】
前記支持アーム２は、本体アーム１に取付けられると共に、ビューファインダＦを支持するものである。
本実施形態において、支持アーム２は、一対のサイドアーム１Ｌ，１Ｒの間を連結するように取付けられる。支持アーム２は、一対の操作部２０Ｌ，２０Ｒの後方にてその幅方向（左右方向）に延設される支持ベース部２ａと、この支持ベース部２ａの両端部にて前方に向かって延設される端部アーム部２ｂとを備えて構成されている。
【００２２】
前記支持ベース部２ａは、例えば、金属製の平板材を折曲形成してなる。支持ベース部２ａは、具体的には、使用状態において（ベース部１１）１０の上面と平行に配置されると共にビューファインダＦのスライド機構Ｆｃが取付けられるビューファインダ支持部２ａ１と、このビューファインダ支持部２ａ１の両端部から幅方向にそれぞれ延設されると共にその先端部が上方に向かって折曲形成されるベースアーム部２ａ２とを有して形成されている。
【００２３】
前記端部アーム部２ｂは、例えば、金属製の平板材からなり、ベースアーム部２ａ２の先端部の側面に取付けられる。これにより、各端部アーム部２ｂは、互いに対向するように配置される。なお、支持ベース部２ａ及び端部アーム部２ｂには、各サイドアーム１Ｌ，１Ｒと同様に、軽量化のため適宜箇所が開口形成されている。
【００２４】
また、本実施形態において、支持アーム２は、第１接続部３と接続する第２接続部５を含んで構成されている。
前記第２接続部５は、具体的には、各端部アーム部２ｂの対向側の側面にそれぞれ突設されている。なお、この第１接続部３及び第２接続部５を介した各サイドアーム１Ｌ，１Ｒと支持アーム２との接続構造については、後に詳述する。
【００２５】
次に、ビューファインダ支持機構４０の本体２０への取付け構造について、図１、図３〜図６を参照して、説明する。
まず、各サイドアーム１Ｌ，１Ｒの本体２０へ取付け構造について詳述する。
前記第２取付け部４は、一対のサイドアーム１Ｌ，１Ｒの対向側の側面のうちの膨出部１ａにそれぞれ突設されている。より具体的には、第２取付け部４は、円板状の外観を有して突設されており、第１取付け部２１の取付け端面２１ａと噛合可能な取付け端面４ａを含んで形成されており、この取付け端面４ａの径方向中央部には貫通孔が形成されている。また、膨出部１ａには第２取付け部４の貫通孔と連通する連通孔が形成されている。締付けボルト６のネジ部６ａが、この連通孔及び第２取付け部４の貫通孔を介して、本体２０側に向って挿通されて、第１取付け部２１のネジ穴２１ｂに螺合する。これにより、取付け端面４ａが取付け端面２１ａと噛合する。このようにして、各サイドアーム１Ｌ，１Ｒが本体２０の外側面に取付けられる。
なお、第２取付け部４は、第２接続部５と同一形状を有している。また、本実施形態においては、各サイドアーム１Ｌ，１Ｒは、その上端部に、本体（一対の操作部２０Ｌ，２０Ｒ）２０への取付け補助用の補助アーム７を備えている。補助アーム７は、各サイドアーム１Ｌ，１Ｒの対向側の側面に突設されている。また、補助アーム７には貫通孔が形成されている。補助ボルト８のネジ部が、この貫通孔を介して、本体２０側に向って挿通されて、各操作部２０Ｌ，２０Ｒの上面のネジ穴２１ｃに螺合する。このようにして、各サイドアーム１Ｌ，１Ｒは、本体２０に、より強固に取付けられる。
【００２６】
次に、各サイドアーム１Ｌ，１Ｒと支持アーム２との接続構造について、支持アーム２を各サイドアーム１Ｌ，１Ｒの下端部側に取付ける場合を一例に挙げて詳述する。
第１接続部３は、第１取付け部２１と同様に、菊座状の凹凸を有する第１端面３ａを含んで形成されている。つまり、第１接続部３は、より具体的には、円板状の外観を有して突設されており、第１端面３ａの径方向中央部にはネジ穴３ｂ（図６参照）が形成されている。
第２接続部５は、第２取付け部４と同様に、第１端面３ａと噛合する第２端面５ａを含んで形成されている。つまり、第２接続部５は、円板状の外観を有して突設されており、第１接続部３の第１端面３ａと噛合可能な第２端面５ａを含んで形成されており、この第２端面５ａの径方向中央部には貫通孔が形成されている。また、端部アーム部２ｂには第２接続部５の貫通孔と連通する連通孔が形成されている。締付けボルト９のネジ部９ａが、この連通孔及び第２接続部５の貫通孔を介して、本体２０側に向って挿通されて、各サイドアーム１Ｌ，１Ｒの下端部側の第１接続部３のネジ穴３ｂに螺合する。これにより、第２端面５ａが第１端面３ａと噛合し、支持アーム２が一対のサイドアーム１Ｌ，１Ｒの下端部間を連結するようにして一対のサイドアーム１Ｌ，１Ｒに接続される。
この結果、図１に示すように、ビューファインダ支持機構４０全体が各サイドアーム１Ｌ，１Ｒの下端部側に取付けられる。その後、図２に示すように、ビューファインダ支持機構４０上にビューファインダＦを載置して支持すると共に、載置部（ベース部１１）１０上にハンディ型ビデオカメラＣを載置して固定及び電気的に接続することにより、ハンディ型ビデオカメラＣの機能を拡張して大型スタジオカメラとして使用することができる。
【００２７】
ここで、本実施形態においては、支持アーム２が各サイドアーム１Ｌ，１Ｒと接続された状態で、締付けボルト９を若干緩めると、第１接続部３と第２接続部５との接続力が緩まる。この状態で、支持アーム２にチルト方向の力を作用させると、支持アーム２をチルト方向に、菊座状の凹凸のピッチに応じて段階的に回動させることができる。この回動動作は、ビューファインダ支持機構４０にビューファインダＦが支持されているときにも行うことができる。
このように、本実施形態において、支持アーム２は、支持するビューファインダＦをチルト方向に段階的に回動可能に、第２接続部５を介して本体アーム（各サイドアーム１Ｌ，１Ｒ）１に接続されている。
【００２８】
次に、本実施形態のシステムエクスパンダー装置１００におけるビューファインダＦの高さ位置の変更手順について、図１の状態から変更する場合を一例に挙げて図７〜図９を参照して説明する。
図７は図１に示すシステムエクスパンダー装置１００において、ビューファインダ支持機構４０の支持アーム２の取付け位置を変更した状態を示した図であり、図８はこの状態でのビューファインダ支持機構４０の斜視図である。図９は図７の状態において、ハンディ型ビデオカメラＣとビューファインダＦを取付けた使用状態を示した外観図である。
【００２９】
図１に示す状態において、締付けボルト９をそれぞれ緩めて、支持アーム２を各サイドアーム１Ｌ，１Ｒから取り外す。その後、支持アーム２を上側の第１接続部３のネジ穴３ｂと第２接続部５の貫通孔が一致する位置に移動させる。そして、この状態で、締付けボルト９のネジ部９ａを、端部アーム部２ｂの連通孔及び第２接続部５の貫通孔を介して本体２０側に向って挿通させると共に、各サイドアーム１Ｌ，１Ｒの上端部側の第１接続部３のネジ穴３ｂに螺合させる。これにより、第２端面５ａが上端部側の第１端面３ａと噛合し、図７及び図８に示すように、支持アーム２が一対のサイドアーム１Ｌ，１Ｒの上端部間を連結するようにして一対のサイドアーム１Ｌ，１Ｒに接続される。
この結果、図７に示すように、ビューファインダ支持機構４０全体が各サイドアーム１Ｌ，１Ｒの上端部側に取付けられる。これにより、図９に示すように、ビューファインダＦの高さ位置を図１の状態よりも上側に変更した状態で、ハンディ型ビデオカメラＣの機能を拡張して大型スタジオカメラとして使用することができる。
【００３０】
次に、支持アーム２の取付け高さ位置について、図２及び図９を参照して詳述する。
本実施形態において、ハンディ型ビデオカメラＣが載置部（ベース部１１）１０上に載置された状態で、支持アーム２は、取付け高さ位置を、支持したビューファインダＦの表示部の中心とハンディ型ビデオカメラＣのレンズの光軸Ｘとが略一致する下位置（図２に示す位置）と、この下位置より上方の上位置（図９に示す位置）とに、選択的に変更可能に本体アーム（サイドアーム１Ｌ，１Ｒ）１に取付けられる。具体的には、支持アーム２を上記上位置及び下位置に取付け可能に、各サイドアーム１Ｌ，１Ｒに上下方向に離間して設けられる第１接続部３の配置高さが予め設定されている。
また、本実施形態においては、図１、図２、図７及び図９に示すように、下位置（図１）及び上位置（図７）のいずれの位置においても、支持アーム２は、本体アーム１を介して本体２０に取付けられた状態で、本体２０の上面より下方に配置されている。
【００３１】
なお、図１０に示すように、締付けボルト９をそれぞれ緩めて、支持アーム２を各サイドアーム１Ｌ，１Ｒから完全に取り外した後、ビューファインダＦをハンディ型ビデオカメラＣの上部に設けられている接続部に直接的に取付けてもよい。これにより、ビューファインダＦの高さ位置を図２、図９及び図１０の３箇所に変更することができる。
【００３２】
かかる本実施形態によるビューファインダ支持機構４０及びこれを備えたカメラ拡張装置としてのシステムエクスパンダー装置１００によれば、ビューファインダＦを支持する支持アーム２を、本体２０の側面に沿って上下方向に延びる本体アーム１に取付けた後、この上下方向に延びる本体アーム１に対する支持アーム２の取付け高さ位置を変えるだけで、本体２０に対するビューファインダＦの高さ位置を変更することができる。
これにより、ビューファインダＦの高さ位置を容易に変更可能なビューファインダ支持機構４０及びこれを備えたシステムエクスパンダー装置１００を提供することができる。
【００３３】
また、本実施形態においては、本体アーム１は上下方向に離間した２箇所に支持アーム２との接続用の第１接続部３を含み、支持アーム２は第１接続部３と接続する第２接続部５を含む構成とした。これにより、本体アーム１に対する支持アーム２の取付け高さ位置を第１接続部３及び第２接続部５を介して、容易に変更することができる。
なお、第１接続部３は、２箇所に限らず、３箇所以上に設けてもよい。これにより、支持アーム２の取付け高さ位置を段階的に変更することができる。第１接続部３は、複数の箇所に設けられていればよい。また、支持アーム２の取付け高さ位置の変更は、段階的に限らず、連続的に行うように構成してもよい。この場合、第１接続部３を例えば第２接続部５と接続しつつ上下方向にスライド可能なガイドにより構成する。
【００３４】
また、本実施形態においては、第１接続部３は菊座状の凹凸を有する第１端面３ａを含んで形成され、第２接続部５は第１端面３ａと噛合する第２端面５ａを含んで形成され、支持アーム２は支持するビューファインダＦをチルト方向に段階的に回転可能に第２接続部５を介して本体アーム１に接続される構成とした。これにより、ビューファインダＦを簡易な構成でチルト方向へ回動させることができる。
なお、本実施形態においては、ビューファインダＦはフレーム部Ｆｂのチルト回動軸Ｆｂ３を介してもチルト方向への回動させることができる。また、第１接続部３及び第２接続部５はいずれも菊座状の凹凸を有した端面を含んで形成されるものとしたが、これに限らない。第１接続部３及び第２接続部５は互いに接続可能であればどのように構成してもよい。
【００３５】
また、本実施形態においては、ハンディ型ビデオカメラＣが載置部１０上に載置された状態で、支持アーム２は取付け高さ位置を、支持したビューファインダＦの表示部Ｆａの中心とハンディ型ビデオカメラＣの光軸Ｘとが略一致する下位置と、この下位置より上方の上位置とに、選択的に変更可能に本体アーム１に取付けられる構成とした。これにより、下位置では、ハンディ型ビデオカメラＣとビューファインダＦが直線的に配置された状態となるため、カメラ操作者がビューファインダＦを注視しながら撮影したい場合等においては、撮影操作性を向上させることができる。また、上位置では、ビューファインダＦを下位置より少し高い位置に配置することができる。このように、カメラ操作者の要望等に応じて、ビューファインダＦの高さ位置をフレキシブルかつ容易に変更して、操作性を向上させることができる。
なお、支持アーム２の取付け高さ位置は、これに限らず、適宜高さ位置に設定することができる。
【００３６】
また、本実施形態においては、支持アーム２は、本体アーム１を介して本体２０に取付けられた状態で、この本体２０の上面より下方に配置される構成とした。つまり、上記上位置及び下位置のいずれにおいても、支持アーム２を本体２０の上面より下方に配置される構成とした。これにより、例えば、ホール等においては、システムエクスパンダー装置１００の後方席の観客からの視認性の低下を抑制することができる。
なお、支持アーム２の高さ位置は、これに限らず、下位置のみ本体２０の上面より下方、下位置及び上位置いずれも本体２０の上面より上方になるように配置されていてもよい。
【００３７】
また、本実施形態においては、本体２０は載置部１０のカメラ操作者側にて載置部１０の幅方向に互いに間隔をあけて上方に向かってそれぞれ突設される一対の操作部２０Ｌ，２０Ｒからなり、本体アーム１は一対の操作部２０Ｌ，２０Ｒの幅方向の外側面に延設される一対のサイドアーム１Ｌ，１Ｒを有してなり、支持アーム２は一対のサイドアーム１Ｌ，１Ｒの間を連結するように取付けられる構成とした。これにより、簡素な構造により、ビューファインダＦを支持しつつ、その取付け高さ位置を変更可能な構造を構築することができる。
【００３８】
以上、本発明の好ましい実施形態について説明したが、本発明は上記実施形態に制限されるものではなく、本発明の技術的思想に基づいて種々の変形及び変更が可能である。
【符号の説明】
【００３９】
１・・・・・・・・・本体アーム
１Ｌ，１Ｒ・・・・・一対のサイドアーム
２・・・・・・・・・支持アーム
３・・・・・・・・・第１接続部
３ａ・・・・・・・・第１端面
４・・・・・・・・・第２取付け部
４ａ・・・・・・・・取付け端面
５・・・・・・・・・第２接続部
５ａ・・・・・・・・第２端面
１０・・・・・・・・載置部
２０・・・・・・・・本体
２０Ｌ，２０Ｒ・・・一対の操作部
２１・・・・・・・・第１取付け部
２１ａ・・・・・・・取付け端面
４０・・・・・・・・ビューファインダ支持機構
１００・・・・・・・カメラ拡張装置（システムエクスパンダー装置）
Ｃ・・・・・・・・・ハンディ型ビデオカメラ
Ｆ・・・・・・・・・ビューファインダ
【図１】
0006473383.tif 000002
【図２】
0006473383.tif 000003
【図３】
0006473383.tif 000004
【図４】
0006473383.tif 000005
【図５】
0006473383.tif 000006
【図６】
0006473383.tif 000007
【図７】
0006473383.tif 000008
【図８】
0006473383.tif 000009
【図９】
0006473383.tif 000010
【図１０】
0006473383.tif 000011